(57)【要約】【課題】音源となる振動部からの振動を効率よく振動板に伝えることができる事を特徴としたスピーカ構造に関する。【解決手段】電気信号によって振動する振動部と、振動部を固定する振動部固定部と、密閉室が設けられているスピーカ筐体とで構成されており、振動部固定部は、振動部の外周部と接続固定されると共に、スピーカ筐体の密閉室のスピーカ内壁に固定し、振動部の振動表面と密閉室で囲まれた空間に流体物質で充填し、振動部の振動表面に対向するスピーカ筐体のスピーカ筐体前面は、振動部の振動によって振動することを特徴とする。【選択図】図１
2011160050.tif 000002
【特許請求の範囲】
【請求項１】
電気信号によって振動する振動部（１０１）と、前記振動部を固定する振動部固定部（１０３）と、密閉室（１００１）が設けられているスピーカ筐体（１００）とで構成されており、
前記振動部固定部は、前記振動部の外周部と接続固定されると共に、前記スピーカ筐体の前記密閉室のスピーカ内壁（１００２）に固定し、
前記振動部の振動表面（１０１１）と前記密閉室で囲まれた空間に流体物質（１０２）で充填し、
前記振動部の前記振動表面に対向する前記スピーカ筐体のスピーカ筐体前面（１００３）は、前記振動部の振動によって振動することを特徴とするスピーカ構造。
【請求項２】
電気信号によって伸縮振動する伸縮部（１０４）と、密閉室が設けられているスピーカ筐体（１００）とで構成されており、
前記伸縮部は、磁界を発生させるコイル（１０４１）と、前記コイルから発生した磁界によって素子寸法が変化する磁歪素子（１０４２）とで構成され
前記伸縮部は、前記スピーカ筐体の密閉室（１００１）の内側壁面に固定し、
前記伸縮部を含む前記密閉室に流体物質（１０２）で充填し、
前記伸縮部を固定したスピーカ内壁（１００２）に対向する前記スピーカ筐体のスピーカ筐体前面（１００３）は、前記伸縮部の伸縮によって振動することを特徴とするスピーカ構造。
【発明の詳細な説明】
【技術分野】
【０００１】
本発明はスピーカ構造に係り、特に、音源となる振動部からの振動を効率よく振動板に伝えることができる事を特徴としたスピーカ構造に関する。
【背景技術】
【０００２】
従来から、公共施設等に設置され、屋外の人物に連絡をするための拡声スピーカが知られている。例えば、特許文献１のように、駅ホームにおいて、電車の入出線時や扉開閉時等の乗客の安全を図るため、駅員は駅ホームに設置されたスピーカを通じて各種案内放送を行っている。このスピーカは、駅ホームにいる乗客、駅員に確実に案内放送が届くように、大音量出力の物が用いられ、更に広範囲のエリアにも届くよう複数設置されていた。
【先行技術文献】
【特許文献】
【０００３】
【特許文献１】特開２００４−０６４７２３
【発明の開示】
【発明が解決しようとする課題】
【０００４】
しかしながら、上記のスピーカは、大音量出力の物、且つ広範囲のエリアの人物にも届くように複数設置されているため、駅員、乗客のみならず、近隣にも各種案内放送が届いてしまい、迷惑となってしまっていた。
【０００５】
本発明はこのような問題点に鑑み、駅員・乗客のみに各種案内放送を伝えるため、指向性の高い音声を出力させることができるスピーカ構造を提供することを目的としている。
【課題を解決するための手段】
【０００６】
上記課題を解決するために、請求項１に記載の発明は、電気信号によって振動する振動部と、振動部を固定する振動部固定部と、密閉室が設けられているスピーカ筐体とで構成されており、振動部固定部は、振動部の外周部と接続固定されると共に、スピーカ筐体の密閉室のスピーカ内壁に固定し、振動部の振動表面と密閉室で囲まれた空間に流体物質で充填し、振動部の振動表面に対向するスピーカ筐体のスピーカ筐体前面は、振動部の振動によって振動することを特徴とする。
また、請求項２の発明は、電気信号によって伸縮振動する伸縮部と、密閉室が設けられているスピーカ筐体とで構成されており、伸縮部は、磁界を発生させるコイルと、コイルから発生した磁界によって素子寸法が変化する磁歪素子とで構成され伸縮部は、スピーカ筐体の密閉室の内側壁面に固定し、伸縮部を含む密閉室に流体物質で充填し、伸縮部を固定したスピーカ内壁に対向するスピーカ筐体のスピーカ筐体前面は、伸縮部の伸縮によって振動することを特徴とする。
【発明の効果】
【０００７】
本発明のスピーカ構造によれば、筐体内部に流体物質を充填することによって、音波の伝播速度が上がり、点音源からの音波が筐体前面に均一に加わることで平面波を出力することができる。
【図面の簡単な説明】
【０００８】
【図１】本発明に係る第１のスピーカ構造の構造図である。
【図２】本発明に係る第２のスピーカ構造の構造図である。
【発明を実施するための形態】
【０００９】
以下、本発明のスピーカ構造を好ましい実施の形態について図面を参照して説明する。
図１は、本発明の第１の実施例によるスピーカ構造であり、電気信号によって振動する振動部１０１と、振動部１０１を固定する振動部固定部１０３と、密閉室１００１が設けられているスピーカ筐体１００と、振動部１０１の振動をスピーカ筐体１００のスピーカ内壁１００２に伝達するための流体物質１０２で構成されている。この振動部１０１の外周部は振動部固定部１０３と接続固定されており、振動部固定部１０３はスピーカ筐体１００の密閉室１００１のスピーカ内壁１００２に固定されている。流体物質１０２は、振動部１０１の振動表面１０１１とスピーカ筐体１００の密閉室１００１で囲まれた空間に充填されている。
【００１０】
本発明の第１の実施例の動作原理の説明を行う。
配線（不図示）から音声信号が振動部１０１に送られると、振動部１０１の振動表面１０１１が振動する。すると振動表面１０１１の振動によって、密閉室１００１に充填された流体物質１０２、例えば水等の密度の高い流体物質に振動が伝わる。このとき、流体物質１０２は密閉室１００１と振動部固定部１０３で囲まれた空間からスピーカ筐体内壁１００２へ圧力が加わることとなる。すると、スピーカ筐体内壁１００２のスピーカ筐体前面１００３箇所は、スピーカ筐体１００の他の部分よりも振動しやすくなっているため、流体物質１０２からの圧力が伝わり音となって出力される。このとき、流体物質１０２で充填されることで音の伝播速度が上がるため、スピーカ筐体前面１００３のスピーカ内壁１００２に均一に圧力がかかり、平面音波が出力される。なお、流体物質１０２が充填されていない密閉室１００１の空間（空気）からスピーカ内壁１００２に圧力がかかるが、スピーカ筐体前面１００３を除いたスピーカ筐体１００は振動しにくいため、音が出力されることはない。
【００１１】
図２（ａ）（ｂ）は、本発明の第２の実施例によるスピーカ構造であり、電気信号によって伸縮振動する伸縮部１０４と、密閉室１００１が設けられているスピーカ筐体１００と、伸縮部１０４の振動をスピーカ筐体１００のスピーカ内壁１００２に伝達するための流体物質１０２で構成されている。流体物質１０２は、伸縮部１０４とスピーカ筐体１００の密閉室１００１で囲まれた空間に充填されている。また、伸縮部１０４は、磁界によって伸縮する超磁歪素子１０４２と、配線（不図示）からの電気信号から磁界を発生させるコイル１０４２とから構成されている。
【００１２】
本発明の第２の動作原理の説明を行う。
配線（不図示）から音声信号が伸縮部１０４に送られると、伸縮部１０４自体の体積が伸縮する。すると伸縮部１０４の伸縮によって、密閉室１００１に充填された流体物質１０２、例えば水等の密度の高い流体物質に圧力が加わると、流体物質１０２はスピーカ筐体内壁１００２へ圧力がかかることとなる。すると、スピーカ筐体内壁１００２のスピーカ筐体前面１００３箇所は、スピーカ筐体１００の他の部分よりも振動しやすくなっているため、流体物質１０２からの圧力が伝わり音となって出力される。このとき、流体物質１０２はスピーカ筐体前面１００３のスピーカ内壁１００２に均一に圧力がかかるため、平面音波が出力される。なお、流体物質１０２が充填されていない密閉室１００１の空間（空気）からスピーカ内壁１００２に圧力がかかるが、スピーカ筐体前面１００３を除いたスピーカ筐体１００は振動しにくいため、音が出力されることはない。
【００１３】
上記のようなスピーカを用いることによって、指向性の高い音声を出力することができる。
【符号の説明】
【００１４】
１００・・・                  スピーカ筐体
１００１・・・              密閉室
１００２・・・              スピーカ内壁
１００３・・・              スピーカ筐体前面
１０１・・・                  振動部
１０１１・・・              振動表面
１０２・・・                  流体物質
１０３・・・                  振動部固定部
【図１】
2011160050.tif 000003
【図２】
2011160050.tif 000004